(57)【要約】【課題】身体の美しい立体的シルエットが表現され、窮屈感、締め付け感が少なく、着用しやすく、フィットしやすく、多少の体型補整機能及び／または筋肉サポート機能も具備した経編地を用いたフィットタイプの衣類を提供する。【解決手段】ジャカード編からなる地編が非弾性糸で編まれた経編地からなり、前記地編の表側にあらわれる編組織を緊迫力の強弱の要求に応じて切り替えることにより、所定の部分に、比較的緊迫力の弱い部分１１ａ、１１ｂ、１１ｃと、比較的緊迫力の強い部分からなる帯状であり且つカーブした連続パターン１２ａ、１２ｂが複数並列に設けられた、身体に密着する衣類。【選択図】  図１
2004156153.tif 000002
【特許請求の範囲】
【請求項１】
ジャカード編からなる地編が非弾性糸で編まれた経編地からなる衣類において、
前記地編の表側にあらわれる編組織を緊迫力の強弱の要求に応じて切り替えることにより、比較的緊迫力の強い部分と比較的緊迫力の弱い部分がパターン状に設けられ、
所定の部分に、前記比較的緊迫力の強い部分からなる帯状であり且つカーブした連続パターンが複数並列に設けられた、身体に密着する衣類。
【請求項２】
前記経編地に弾性糸が挿入され、
緊迫力の強弱の要求に応じて、前記弾性糸の挿入本数及び／又は太さを変化させてなる、請求項１に記載の身体に密着する衣類。
【請求項３】
前記複数の連続パターンのうち少なくとも一本の幅を、緊迫力の要求に応じて、連続方向において変化させてなる、請求項１または２に記載の身体に密着する衣類。
【請求項４】
前記複数の連続パターンのそれぞれの幅を、互いに異ならせてなる、請求項１または２に記載の身体に密着する衣類。
【請求項５】
ヒップ部を有する衣類である、請求項１〜４のいずれか一項に記載の身体に密着する衣類。
【請求項６】
前記複数の連続パターンが、着用した際に着用者の大転子近傍から腰部上部へ相当する位置に、腰部上部方向へ凸状にカーブした状態に形成された、請求項５に記載の身体に密着する衣類。
【請求項７】
前記複数の連続パターンの相互間隔が、着用者の大転子近傍に相当する部分から腰部上部に相当する部分へ至るに従って広く形成された、請求項６に記載の身体に密着する衣類。
【請求項８】
前記複数の連続パターンのそれぞれの幅が、着用者の大転子近傍に相当する部分から腰部上部に相当する部分へ至るに従って広くなるよう形成された、請求項６に記載の身体に密着する衣類。
【請求項９】
前記複数の連続パターンが、前記ヒップ部の膨らみの下から脇に至る位置に、ヒップ部下部方向へ凸状にカーブした状態に形成された、請求項５に記載の身体に密着する衣類。
【請求項１０】
前記複数の連続パターンのそれぞれの幅が、ヒップ部内側からヒップ部外側へ至るに従って広くなるよう形成された、請求項９に記載の身体に密着する衣類。
【発明の詳細な説明】
【０００１】
【発明の属する技術分野】
本発明は、部分的に緊迫力の強い部分と弱い部分を有するジャカード編の経編地から構成され、着用した場合に身体に密着する衣類に関し、特に、体型補正機能及び／または筋肉サポート機能を持たせるべく、所定の部分に緊迫力の強い部分を設けた衣類に関するものである。
【０００２】
【従来の技術】
従来、ガードル、ショーツ、ボディスーツ、水着、レオタード、ブラジャー、スパッツ、スポーツ用タイツなど、体型補正機能及び／または筋肉サポート機能を持たせるために、衣類の所定部分の緊迫力を大きくした衣類は、広く普及している。
【０００３】
このような衣類において、所望の部分の緊迫力を大きくするために、適宜の当て布を衣類本体生地の裏側または表側から当てがうことが、最も一般的に行われていた。しかし、当て布によって緊迫力の大きい部分を形成した衣類は、当て布の存在する部分と当て布の存在しない部分との境界に厚みの相違による段差があるため、その段差がアウターウェアに反映し、アウターウェアの外側からも段差が見えてしまい、着用者の外観を著しく低下させると言う問題があった。更に当て布は衣類本体に縫合されるので、縫合部分の厚みの増大により、肌触りが低下したり、皮膚病（皮膚傷害）の原因となったりすると言う問題もあった。
【０００４】
このような問題を生じることなく所望の部分の緊迫力を強くするために、ジャカード編からなる地編みの表側にあらわれる編組織を切り替えて組織を変化させることにより、比較的緊迫力の強い部分と弱い部分とをパターン状に設けた衣類が知られている（例えば、特許文献１参照）。
【０００５】
【特許文献１】
特許第３０２３３５４号公報
【０００６】
【発明が解決しようとする課題】
しかし、緊迫力を必要とする部分の面積が広く、且つ特に強い緊迫力が必要とされる場合は、その部分の全体を強い緊迫力を有する編組織で均一に構成した場合、身体への圧迫が強すぎて着用感が損なわれたり、比較的緊迫力の強い部分と比較的緊迫力の弱い部分との境界に段差が生じ、例えばガードル等のようにインナーウェアとして着用する衣類の場合、アウターウェアの外観にインナーウェアのラインがあらわれてしまうというような問題があった。
【０００７】
本発明は、上記の問題点を解決するためになされたものであり、着用感を損なわず、着用者の外観を美しく保って、かつ必要な体型補整機能及び／または筋肉サポート機能を有する衣類を提供することを目的とするものである。
【０００８】
【課題を解決するための手段】
上記の課題を解決するために、本発明は、次の様な衣類を提供する。
（１）ジャカード編からなる地編が非弾性糸で編まれた経編地からなる衣類において、前記地編の表側にあらわれる編組織を緊迫力の強弱の要求に応じて切り替えることにより、比較的緊迫力の強い部分と比較的緊迫力の弱い部分がパターン状に設けられ、所定の部分に、前記比較的緊迫力の強い部分からなる帯状であり且つカーブした連続パターンが複数並列に設けられた、身体に密着する衣類。
【０００９】
（２）前記経編地に弾性糸が挿入され、緊迫力の強弱の要求に応じて、前記弾性糸の挿入本数及び／又は太さを変化させてなる、（１）に記載の身体に密着する衣類。
【００１０】
（３）前記複数の連続パターンのうち少なくとも一本の幅を、緊迫力の要求に応じて、連続方向において変化させてなる、（１）または（２）に記載の身体に密着する衣類。
【００１１】
（４）前記複数の連続パターンのそれぞれの幅を、互いに異ならせてなる、（１）または（２）に記載の身体に密着する衣類。
【００１２】
（５）ヒップ部を有する衣類である、（１）〜（４）のいずれか一に記載の身体に密着する衣類。
【００１３】
（６）前記複数の連続パターンが、着用した際に着用者の大転子近傍から腰部上部へ相当する位置に、腰部上部方向へ凸状にカーブした状態に形成された（５）に記載の身体に密着する衣類。
【００１４】
（７）前記複数の連続パターンの相互間隔が、着用者の大転子近傍に相当する部分から腰部上部に相当する部分へ至るに従って広く形成された、（６）に記載の身体に密着する衣類。
【００１５】
（８）前記複数の連続パターンのそれぞれの幅が、着用者の大転子近傍に相当する部分から腰部上部に相当する部分へ至るに従って広くなるよう形成された、（６）に記載の身体に密着する衣類。
【００１６】
（９）前記複数の連続パターンが、前記ヒップ部の膨らみの下から脇に至る位置に、ヒップ部下部方向へ凸状にカーブした状態に形成された、（５）に記載の身体に密着する衣類。
【００１７】
（１０）前記複数の連続パターンのそれぞれの幅が、ヒップ部内側からヒップ部外側へ至るに従って広くなるよう形成された、（９）に記載の身体に密着する衣類。
【００１８】
【発明の実施の形態】
本発明の衣類に用いる生地は、表側にあらわれる糸から構成されるパターン模様を形成する表側にあらわれる地編組織も、また、その裏側にあらわれる地編組織も、ジャカード編からなる経編で編まれる。さらに、適度な伸縮性を持たせるために、弾性糸が挿入されていることが好ましい。本発明の衣類に用いる生地は、編方向、即ち、糸が供給される方向が、完成した衣類のほぼ横方向になる様に設計される。しかし、適用される衣類の種類や適用される部位によっては斜めになることもある。
【００１９】
本発明で用いる経編生地は、実際にはジャカード制御装置を有する経編機（例えば特開平６−１６６９３４号など参照）などを用いて、これらの経編機に地編用の非弾性糸を供給して（必要に応じて弾性糸を同時に供給しながら）編まれるものである。
【００２０】
本発明の衣類は、ジャカード編みからなる地編の表側にあらわれる編組織を、緊迫力の強弱の要求に応じて切り替えることにより、帯状で且つカーブした細幅の連続パターン状に比較的緊迫力の強い部分（緊迫力の強いジャカード柄）を曲線状に形成した生地で構成される。また、この緊迫力の強いジャカード柄部分の少なくとも一部に弾性糸を挿入することで他よりも緊迫力の強くなった直線状部分を重ねることにより、より緊迫力の強い部分を作ることも好ましい。この細幅の連続パターンを、複数本、互いに近接させて並列に設けることにより、これら複数の連続パターンにより、全体として一つの比較的緊迫力の強い領域が形成される。従って、衣類として着用した場合に、体型を補正したり筋肉をサポートしたりするために高い緊迫力を持たせたい領域に、上述の複数本の連続パターンを設ければ、体型補正機能及び／または筋肉サポート機能を有する衣類を実現できる。
【００２１】
緊迫力の強い帯状カーブの連続パターンは、２〜７本形成されていることが好ましく、特に、３本、４本、あるいは５本であることが好ましい。また、複数本の連続パターンを近接させて高い緊迫力を持たせた領域の中でも、特に高い緊迫力が求められる部分がある場合には、連続パターンの密集度や太さを調節することによって高い緊迫力を得ることも可能である。例えば、（１）緊迫力の強い帯状の連続パターンを当該部分に密集させる、（２）緊迫力の強い帯状の連続パターンの幅を当該部分において他の部分よりも太くする、などの構成をとることが好ましい。（１）の場合、▲１▼当該部分において連続パターンの本数を増やす、▲２▼当該部分において連続パターンの１本毎の幅を太くする、などとすることが好ましい。（２）の場合、当該部分における連続パターン同士の間隔は他の部分と均一とすることにより当該部分における複数連続パターンの全体幅が他の部分より太くなるようにしても良いし、当該部分における連続パターン同士の間隔を小さくすることにより当該部分における連続パターンの密度が高くなるようにしても良い。後述するが、緊迫力の強い帯状カーブの連続パターンは、ジャカード柄として生地の任意の位置に任意の形状に形成することができるので、連続パターンの幅、本数、間隔などは任意に設計することが可能である。これにより、部分的に緊迫力の高い箇所を自在に形成することができる。また、ジャカード柄による曲線状の緊迫力の切り替えと、弾性糸挿入による直線状の緊迫力の切り替えとを組み合わせることにより、さらに局所的に緊迫力が異なる衣類を実現できる。
【００２２】
なお、本発明の衣類は身体に密着させて着用するものであるが、「身体に密着する」とは、必ずしも素肌に直接触れる状態で着用することを意味するものではなく、適宜のアンダーウェア類を介して着用される衣類を含む。
【００２３】
ここで、本発明にかかる衣類の具体例について、図面を参照しながら説明するが、本発明は、これらの衣類のみに限定されるものではない。
【００２４】
まず、一つの具体例として、着用者の大転子から腰部上部中央に相当する位置に、腰部上部方向へ凸状にカーブした細幅の連続パターンが２本並列に近接して形成されたショートガードルを、図１に示す。
【００２５】
図１に示すショートガードルは、シングルラッシェルジャカード編地からなる編組織で構成され、地編の表側にあらわれる編み組織を変化させたジャカード柄によって、細幅で帯状にカーブした連続パターン１２ａ、１２ｂが形成されたものである。連続パターン１２ａ、１２ｂは、ガードルの後ろから脇にかけての見頃生地に、着用した場合に着用者の大転子近傍からヒップの膨らみの上部を通って腰部上部中央に至るように、左右対称に形成されている。連続パターン１２ａ、１２ｂの編み組織は、ヒップの膨らみ全体を包み込む部分１１ａや、連続パターン１２ａおよび１２ｂの間の部分１１ｂや、ガードルの脇部分１１ｃなどに比較して、緊迫力が相対的に強くなるように編まれている。なお、図１において、１０はウエスト充当部である。
【００２６】
図１に示すショートガードルでは、細幅の連続パターン１２ａ、１２ｂが近接するように、連続パターン１２ａ、１２ｂの間の部分１１ｂが細く形成されている。これにより、連続パターン１２ａ、１２ｂおよびこれらの間の部分１１ｂが、全体として一つの緊迫力の強い領域を形成している。
【００２７】
連続パターン１２ａ、１２ｂは、いずれも、大転子側から腰部上部へ至るに従って幅が広くなるように形成することが好ましい。例えば、大転子側の端部（裾側端部）における幅が約１．５ｃｍ、ウェスト充当部１０付近での幅が約３．５ｃｍとなるように、連続パターン１２ａ、１２ｂを形成することが好ましい。この場合、連続パターン１２ａ、１２ｂおよびこれらの間の部分１１ｂにより形成される緊迫力の強い領域の幅は、大転子側で約４ｃｍであり、腰部上部中央側で約８．５ｃｍとなる。ただし、これらの数値は一例に過ぎず、要求する緊迫力の程度に応じて任意に設計することができる。
【００２８】
また、連続パターンの本数も２本に限定されない。例えば、図２に示すように、着用者の大転子から腰部上部中央に相当する位置に、腰部上部方向へ凸状にカーブした細幅の連続パターン１２ａ、１２ｂ、１２ｃが３本並列に近接して形成されたショートガードルも、本発明の一実施形態である。図２に示すショートガードルの場合、連続パターン１２ａ、１２ｂ、１２ｃおよびこれらの間の部分１１ｂ、１１ｃにより、全体として一つの緊迫力の強い領域が形成されている。図２における連続パターン１２ａ、１２ｂ、１２ｃのそれぞれは、図１に示したものよりも細く、例えば、大転子側の端部における幅が約１ｃｍ、ウェスト充当部１０付近での幅が約２．５ｃｍである。この場合、連続パターン１２ａ、１２ｂ、１２ｃおよびこれらの間の部分１１ｂ、１１ｃにより形成される緊迫力の強い領域の全体幅は、大転子側で約４ｃｍであり、腰部上部中央側で約８．５ｃｍとなる。
【００２９】
さらに、図３に示した例は、着用者の大転子から腰部上部中央に相当する位置に、腰部上部方向へ凸状にカーブした細幅の連続パターン１２ａ、１２ｂ、１２ｃ、１２ｄ、１２ｅが５本並列に近接して形成されたショートガードルである。図３に示すショートガードルの場合、連続パターン１２ａ、１２ｂ、１２ｃ、１２ｄ、１２ｅおよびこれらの間の部分１１ｂ、１１ｃ、１１ｄ、１１ｅにより、全体として一つの緊迫力の強い領域が形成されている。図３における連続パターン１２ａ、１２ｂ、１２ｃ、１２ｄ、１２ｅのそれぞれは、図１および図２に示したものよりもさらに細く、例えば、大転子側の端部における幅が約０．５ｃｍ、ウェスト充当部１０付近での幅が約１．５ｃｍである。この場合、連続パターン１２ａ〜１２ｅおよびこれらの間の部分１１ｂ〜１１ｅにより形成される緊迫力の強い領域の幅は、大転子側で約４．５ｃｍであり、腰部上部中央側で約１０ｃｍとなる。
【００３０】
図１〜図３に例示したように、着用者の大転子から腰部上部中央に相当する位置に、腰部上部方向へ凸状にカーブした細幅の連続パターンを互いに近接させて並列に形成してなる緊迫力の強い領域を設けることにより、着用者の背中側の筋肉（梨状筋および脊柱起立筋）をサポートし、着用者の上半身を起こして姿勢を良くする効果がある。さらに、ガードルの腹部側にも緊迫力の強い編組織を形成して腹筋をサポートすれば、着用者の背骨を前後からバランス良く支えて姿勢をさらに美しく見せる効果が得られる。
【００３１】
また、図１〜図３に例示したように、着用者のヒップの膨らみ部分の上を通るように、連続パターンを腰部上部方向へ凸状にカーブさせることにより、ヒップの丸い膨らみをつぶすことがなく、ヒップラインを美しく整える効果がある。
【００３２】
図１〜図３に例示したようなショートガードルの場合、複数の連続パターンのそれぞれの太さを互いに異ならせても良い。この場合、並列する複数の連続パターンのうち外側に位置する連続パターン（例えば図３の１２ａ、１２ｅ）ほど細く、中央側に位置する連続パターン（例えば図３の１２ｃ）ほど太くなるように形成すれば、身体の立体形状に沿いやすい。
【００３３】
ここで、図４に、図１〜図３に例示した様なショートガードルの、後ろから脇にかけての左側身頃生地の裁断前の平面図を示す。図４の例は、腰部上部方向へ凸状にカーブした緊迫力の強い細幅の連続パターンを７本、着用者の大転子から腰部上部中央に相当する位置に設けるための生地である。なお、図４において、矢印Ｓは、この経編生地を形成するための糸の供給方向を示す。
【００３４】
図４において、４１ａ〜４１ｇの７つの連続パターンは、緊迫力を強くするために２針または３針以上の振りを１繰り返し単位内に所定の割合で入れたサテン調ネット組織として編まれ、その他の領域はメッシュ調ネット組織として編まれる。緊迫力の強いサテン調ネット組織で編まれたジャカードの複数の帯状カーブ部分の間の部分は、帯状カーブ部分よりも緊迫力の弱い、且つ、その他のメッシュ調ネット組織部分よりも緊迫力の強い編組織とすると、複数本のジャカードの帯状カーブ部分及びそれに挟まれた箇所を、全体として緊迫力の強い箇所とすることができる。なお、サテン調ネット組織およびメッシュ調ネット組織を混在させた編組織が、例えばジャカード制御装置を有する経編機などを用いて、この経編機のコンピュータに各ウェールと各コースの編み方に関する指令を入力することによって実現できることは、当業者にとっては周知の事項である（前述の特許文献１にも詳しい説明が開示されているので必要であれば参照されたい）。また、細幅の連続パターン部分の緊迫力は、特許文献１にも開示されているように、針の振り量及び／または１繰り返し単位内に針の振りを入れる割合を調整することにより、所望の強さに調整できる。
【００３５】
また、４１ａ〜４１ｇの７つの連続パターンの少なくとも一部に弾性糸挿入部分を重ねることにより、各連続パターン内に特に緊迫力の強い部分を形成することも好ましい。弾性糸は、非弾性糸と同じく、図４に矢印Ｓで示す方向に供給されるので、弾性糸を供給するタイミングを制御することにより、連続パターン（ジャカード柄）部分に重なるように弾性糸挿入により緊迫力を強くすることができる。この場合、弾性糸によって与えられる緊迫力の強さは、挿入する弾性糸の本数及び／または太さで調節することが可能である。
【００３６】
例えば、連続パターンの一部に弾性糸挿入部分を重ねれば、緊迫力の強い連続パターンの中でも特に緊迫力が強い箇所を必要に応じて作ることができるので、身体の立体形状に美しくフィットして、必要な箇所だけに必要な強さの緊迫力を局所的に与える衣類を提供できる。
【００３７】
図４において、生地４０中に示された波線ラインＡ−Ｂ−Ｃ−Ｄ−Ｅ−Ａは、ガードルの脇から後ろに用いられる着用者の左側半分の身頃を得るための裁断ラインを示したものである。この生地４０からガードルのクロッチ用の布や腹部布等も裁断しても良いが、ここではその図示および詳しい説明は省略する。また、ガードルの脇から後ろに用いられる着用者の右側半分の身頃を得るための裁断ラインは、図４中に示した裁断ラインと左右線対称となる。Ａ−Ｂラインは、図示しない腹部布と縫合され、Ｅ−Ｄラインは図示しない前述した右側半分の身頃の同様な部分と縫合されて後中心の縫合ラインを形成することになる。Ａ−Ｅラインはウエスト充当部１０の布を縫製により取り付ける。ウエスト充当部１０の布の素材は、少なくともガードル横方向に伸縮性を有する生地を例えば２つ折りにして用いればよく、必要に応じてストレッチテープなどを内側に取り付けてもよい。さらに、Ｃ−Ｄライン等にクロッチ用の布を縫製により取り付けることにより、図１〜図３に示したようなショートガードルを作成することができる。
【００３８】
なお、地編を構成する非弾性糸としては、ナイロン糸、ポリエステル糸などの合成繊維糸、レーヨン糸、アセテート糸、キュプラ糸などの再生繊維糸、木綿糸、絹糸、麻糸、ウール糸などの天然繊維などを用いることができるが、ナイロン糸が特に好ましく、太さとしてはナイロン糸で２０〜８０デニールに相当する太さの糸が好ましく用いられる。
【００３９】
ただし、本発明で用いる生地は、かかる非弾性糸で編まれた編地のウェール方向に弾性糸を挿入することにより、緊迫力を調整したものであっても良い。さらに、挿入される弾性糸は、緊迫力の強弱の要求に応じて、その本数及び／または太さを変化させることが好ましい。
【００４０】
弾性糸により緊迫力の強弱を変化させる場合は、例えば、裾部分や腰上部に充当する箇所に挿入する弾性糸を太くしたり本数を多くするなどして、これらの部分を緊迫力の強い部分とすることが好ましい。また、腰上部に充当する箇所において、緊迫力の強い編組織からなる複数の連続パターン（ジャカード柄）を形成すると共に弾性糸を挿入してさらに緊迫力を高めることにより、この箇所をガードル全体で最も緊迫力の強い部分とすることができる。これにより、腰上部へのサポートを強くすることができる。
【００４１】
図５〜図７にジャカード編からなる地編ネット組織に弾性糸からなる挿入糸が挿入されている状態を説明する為の組織図を示した。弾性糸が挿入されていると言えば、通常当業者であれば、十分理解できるが、念の為その代表的な例を取り上げて説明する。図５〜図７に示した弾性糸からなる挿入糸が挿入されている態様は、一例であって、本発明においては、本発明の目的を阻害しない限り、弾性糸からなる挿入糸が挿入されているこれ以外の態様を用いることもできる。
【００４２】
図５〜図７においては、いずれもサテン調ネット組織を例にとって、この組織に挿入糸が挿入されている状態を示した。尚、図５〜図７においては、いずれもサテン調ネット組織の表側と裏側の組織を重ねて示してある。そして、図５〜図７においては、いずれも図５（ｂ）、図６（ｂ）、図７（ｂ）が、サテン調ネット組織に弾性糸からなる挿入糸が挿入されている状態を示した組織図であり、図５（ａ）、図６（ａ）、図７（ａ）が、それらを構成するそれぞれの糸１本ずつを取り上げて別々に組織図に記載したものである。
【００４３】
いずれの図においても矢印Ｓの方向が糸の供給方向である。
【００４４】
図５に示した態様は、地編としての２針の振りが入ったサテン調ネット組織に１本ずつの挿入糸が挿入されている状態を示した組織図である。
【００４５】
図５（ａ）、（ｂ）において、５が地編としてのサテン調ネット組織の表側に現れる非弾性糸であり、６が地編としてのサテン調ネット組織の裏側に現れる非弾性糸であり、７が弾性糸からなる挿入糸である。図５に示した態様では、各ウェールＢ１  、Ｂ２  、Ｂ３  、Ｂ４  、Ｂ５  の間にそれぞれ１本ずつの挿入糸７が挿入されている状態を示している。地編として２針の振りが入ったサテン調ネット組織を例にとって説明したが、これ以外のサテン調ネット組織やメッシュ調ネットその他の組織の場合にも、「１本ずつの挿入糸が挿入される」とは、地編の組織が異なっても、概念的には同じであり、各ウェールの間にそれぞれ１本ずつの挿入糸が挿入されている状態を言う。
【００４６】
図６に示した態様は、地編としてのサテン調ネット組織に２本ずつの挿入糸が挿入されている状態を示した組織図である。
【００４７】
図６（ａ）、（ｂ）において、５が地編としてのサテン調ネット組織の表側に現れる非弾性糸であり、６が地編としてのサテン調ネット組織の裏側に現れる非弾性糸であり、８が弾性糸からなる挿入糸である。図６に示した態様では、各ウェールＢ１  、Ｂ２  、Ｂ３  、Ｂ４  、Ｂ５  の間にそれぞれ２本ずつの挿入糸８が挿入されている状態を示している。地編として２針の振りが入ったサテン調ネット組織を例にとって説明したが、他のサテン調ネット組織やメッシュ調ネットその他の組織の場合にも、「挿入糸が２本そろえて挿入されている」とは、地編の組織が異なっても、概念的には同じであり、各ウェールの間にそれぞれ２本ずつの挿入糸が挿入されている状態を言う。
【００４８】
次に図７に示した態様は、地編としてのサテン調ネット組織に２本ずつの挿入糸と１本ずつの挿入糸が交互に挿入されている状態を示した組織図である。
【００４９】
図７（ａ）、（ｂ）において、５が地編としてのサテン調ネット組織の表側に現れる非弾性糸であり、６が地編としてのサテン調ネット組織の裏側に現れる非弾性糸であり、７と９が弾性糸からなる挿入糸である。図７に示した態様では、ウェールＢ１  とＢ２  の間には１本の挿入糸７が挿入されており、ウェールＢ２  とＢ３  の間には２本揃えた挿入糸９が挿入されており、次いで、ウェールＢ３  とＢ４  の間には１本の挿入糸７が挿入されており、更に、ウェールＢ４  とＢ５  の間には２本揃えた挿入糸９が挿入されている。地編として２針の振りが入ったサテン調ネット組織を例にとって説明したが、他のサテン調ネット組織やメッシュ調ネットその他の組織の場合にも、「２本ずつの挿入糸と１本ずつの挿入糸が交互に挿入されている」とは、地編の組織が異なっても、概念的には同じであり、各ウェールの間に交互にそれぞれ２本ずつと１本ずつの挿入糸が挿入されている状態を言う。
【００５０】
以上説明したのは、挿入糸の本数が１本あるいは２本ずつの場合を例にとって説明したが、３本ずつ以上揃えて挿入したり、３本ずつ以上揃えて挿入した部分とそれより挿入本数が少なくなる部分とを交互に設けるなど、必要に応じて他の態様にしてもよい。一般的には、比較的緊迫力を強くしたい場合には、挿入糸は２本そろえて挿入され、比較的緊迫力を弱くしたい場合には、挿入糸は１本ずつ挿入される。
【００５１】
なお、「ｎ（ｎは自然数）針の振りが入った」地編組織とは、当業者にとっては周知の事項であるため詳細な説明を省略したが、前述の特許文献１に詳しい説明が開示されているので、必要であれば参照されたい。
【００５２】
以上に説明した様な、地編組織と挿入糸との組み合わせ、例えば図５〜図７に示した様な挿入糸の挿入態様と、非弾性糸の編組織の切り替えによる緊迫力の強弱の態様とを組み合わせること、更には挿入する弾性糸の太さを挿入する部分に応じて変えることなどの組み合わせにより、緊迫力が相対的に異なる部分を、１つの経編生地の上に実現できる。
【００５３】
前述した様な、弾性糸が挿入されたサテン調ネット組織やメッシュ調ネット組織の代表的な組織の例としては、これらを総称するものとしてラッシェル組織が挙げられる。挿入糸に用いる弾性糸としては、特に限定されるものではないが、ポリウレタン繊維糸が好ましい。
【００５４】
弾性糸の太さは、用いる衣類の種類、地編組織の種類、同じ衣類でもどの部位に用いるかによって、それぞれ適宜の太さのものを用いればよく、例えば１００〜５６０デニールの範囲から、それぞれの製品の種類や弾性糸の使用目的に応じて好適な範囲のものを用いればよい。
【００５５】
この様にショートガードルを構成することにより、ヒップ形状を整えつつ、あまり強い緊迫力を必要としないところには不必要に緊迫力が掛からない様に、各部分の要求に応じた緊迫力を付与して、着用感が低下しない様にすることができる。
【００５６】
また、強い緊迫力を必要とする領域が、細幅の連続パターン（緊迫力の強い編組織からなるジャカード柄）を複数本並列に近接させて構成されているので、この領域全体を均一な強い緊迫力を有する編組織で構成した場合と比較して、体型の凹凸に従って緊迫力に微妙な差を設けやすい。すなわち、身体の膨らみに沿わせたい箇所に十分な伸びを持たせつつ、且つ、必要な緊迫力を与えることが可能となる。これにより、身体の立体形状にぴったりとフィットする衣類を実現することができる。また、強い緊迫力を必要とする領域全体を均一な強い緊迫力を有する編組織で構成した場合のように、身体への圧迫が強すぎたり、この領域と緊迫力の弱い領域との境界が目立ったりするという問題を生じない。
【００５７】
以下、図面を参照しながら、具体的衣類のさらに他の例について説明するが、本発明は、これらの衣類のみに限定されるものではない。
【００５８】
図８は、本発明の衣類の一実施形態にかかるロングタイプのガードルの、後側から見た斜視図である。
【００５９】
図８に示すロングガードルは、シングルラッシェルジャカード編地からなる編組織で構成され、地編の表側にあらわれる編み組織を変化させたジャカード柄によって、細幅で帯状にカーブした連続パターン１７ａ、１７ｂが形成されたものである。連続パターン１７ａ、１７ｂは、ガードルの後ろから脇にかけての見頃生地に、着用した場合に着用者の太腿下方に当接する裾口から大転子近傍を通って腰部上部中央に至るように、左右対称に形成されている。連続パターン１７ａ、１７ｂは、腰部上部方向へ凸状に形成されていることが好ましい。連続パターン１７ａ、１７ｂの編み組織は、ヒップの膨らみから太腿の後ろ側を包み込む部分１６ａや、連続パターン１７ａおよび１７ｂの間の部分１６ｂや、ガードルの脇部分１６ｃなどに比較して、緊迫力が相対的に強くなるように編まれている。なお、図８において、１５はウエスト充当部である。
【００６０】
図８に示すロングガードルでは、連続パターン１７ａ、１７ｂが近接するように、連続パターン１７ａ、１７ｂの間の部分１６ｂが細く形成されている。これにより、連続パターン１７ａ、１７ｂおよびこれらの間の部分１６ｂが、全体として一つの緊迫力の強い領域を形成している。連続パターン１７ａ、１７ｂは、いずれも、裾口側から腰部上部側へ至るに従って幅が広くなるように形成することが好ましい。
【００６１】
なお、連続パターンの本数は２本に限定されない。例えば、図９に示すように、着用者の太腿下方に当接する裾口から大転子近傍を通って腰部上部中央に至るように、腰部上部方向へ凸状にカーブした細幅の連続パターン１７ａ、１７ｂ、１７ｃが３本並列に近接して形成されたロングガードルも、本発明の一実施形態である。図９に示すロングガードルの場合、連続パターン１７ａ、１７ｂ、１７ｃおよびこれらの間の部分１６ｂ、１６ｃにより、全体として一つの緊迫力の強い領域が形成されている。図９における連続パターン１７ａ、１７ｂ、１７ｃのそれぞれは、図８に示したものよりも細くなる。
【００６２】
さらに、図１０に示した例は、太腿下方に当接する裾口から大転子近傍を通って腰部上部中央に至るように、腰部上部方向へ凸状にカーブした細幅の連続パターン１７ａ、１７ｂ、１７ｃ、１７ｄ、１７ｅが５本並列に近接して形成されたロングガードルである。図１０に示すロングガードルの場合、連続パターン１７ａ、１７ｂ、１７ｃ、１７ｄ、１７ｅおよびこれらの間の部分１６ｂ、１６ｃ、１６ｄ、１６ｅにより、全体として一つの緊迫力の強い領域が形成されている。図１０における連続パターン１７ａ、１７ｂ、１７ｃ、１７ｄ、１７ｅのそれぞれは、図８および図９に示したものよりも細幅となる。
【００６３】
図８〜図１０に例示したように、太腿下方に当接する裾口から大転子近傍を通って腰部上部中央に至るように、腰部上部方向へ凸状にカーブした細幅の連続パターンを互いに近接させて並列に形成してなる緊迫力の強い領域を設けることにより、着用者の背中側の筋肉（梨状筋および脊柱起立筋）をサポートし、着用者の上半身を起こして姿勢を良くする効果がある。さらに、ガードルの腹部側にも緊迫力の強い編組織を形成して腹筋をサポートすれば、着用者の背骨を前後からバランス良く支えて姿勢をさらに美しく見せる効果が得られる。
【００６４】
また、図８〜図１０に示したように、着用者のヒップの膨らみ部分の上を通るように、連続パターンを腰部上部方向へ凸状にカーブさせることにより、ヒップの丸い膨らみをつぶすことがなく、ヒップラインを美しく整える効果がある。
【００６５】
ここで、図１１に、図８〜図１０に例示した様なロングガードルの、後ろから脇にかけての左側身頃生地の裁断前の平面図を示す。図１１の例は、腰部上部方向へ凸状にカーブした緊迫力の強い細幅の連続パターンを５本、着用者の太腿下方に当接する裾口から大転子近傍を通って腰部上部中央に至る位置に設けるための生地である。なお、図１１において、矢印Ｓは、この経編生地を形成するための糸の供給方向を示す。
【００６６】
図１１において、５１ａ〜５１ｅの５本の連続パターンは、緊迫力を強くするために２針または３針以上の振りを１繰り返し単位内に所定の割合で入れたサテン調ネット組織として編まれ、その他の領域はメッシュ調ネット組織として編まれる。なお、サテン調ネット組織およびメッシュ調ネット組織を混在させた編組織が、例えばジャカード制御装置を有する経編機などを用いて、この経編機のコンピュータに各ウェールと各コースの編み方に関する指令を入力することによって実現できることは、当業者にとっては周知の事項である（前述の特許文献１にも詳しい説明が開示されているので必要であれば参照されたい）。また、細幅の連続パターン部分の緊迫力は、特許文献１にも開示されているように、針の振り量及び／または１繰り返し単位内に針の振りを入れる割合を調整することにより、所望の強さに調整できる。
【００６７】
図１１において、生地５０中に示された波線ラインＡ−Ｂ−Ｃ−Ｄ−Ｅ−Ｆ−Ｇ−Ａは、ガードルの脇から後ろに用いられる着用者の左側半分の身頃を得るための裁断ラインを示したものである。この生地５０からガードルのクロッチ用の布や腹部布等も裁断しても良いが、ここではその図示および詳しい説明は省略する。また、ガードルの脇から後ろに用いられる着用者の右側半分の身頃を得るための裁断ラインは、図１１中に示した裁断ラインと左右線対称となる。Ａ−Ｂラインは、図示しない腹部布と縫合され、Ｑ−ＣラインはＥ−Ｄラインと縫合されて左脚部を形成し、Ｇ−Ｆラインは図示しない前述した右側半分の身頃の同様な部分と縫合されて後中心の縫合ラインを形成することになる。Ｆ−Ｅラインはクロッチ布と縫合される。Ａ−Ｇラインにはウエスト充当部１５の布を縫製により取り付ける。ウエスト充当部１５の布の素材は、少なくともガードル横方向に伸縮性を有する生地を例えば２つ折りにして用いればよく、必要に応じてストレッチテープなどを内側に取り付けてもよい。このようにして、図８〜図１０に示したようなロングガードルを作成することができる。
【００６８】
なお、図１１の生地において、例えば、ヒップ下部から太腿に充当する部分には、弾性糸（例えば１５４ｄｔｅｘ）を２本挿入し、ヒップの膨らみに充当する箇所には、他の部位と同じ太さの弾性糸を１本挿入し、腰上部に充当する箇所には、他の部位と同じ太さの弾性糸を２本挿入する。これにより、腰上部は、緊迫力の強い編組織からなり、全体として緊迫力の強い部分（ジャカード柄の複数の連続パターンを形成した部分）と、弾性糸によって緊迫力を強くした箇所とが重なり、ガードル全体の中でも最も緊迫力の強い部分となる。これにより、腰上部へのサポートを強くすることができる。
【００６９】
なお、図８〜図１０に示したようなロングガードルにおいて、両脚の裾口部分は、折り返して縫製するなどの端しまつを必要としない裾になっている。この様な端しまつを必要としない編み方は周知であるので説明を省略するが、通常、糸抜きの手法を応用して作られている。
【００７０】
この様にロングガードルを構成することにより、ヒップ形状を整えつつ、着用者の動きによる裾部分のずり上がりを防止し、かつ太ももの形をスリムに整え、しかも、余り緊迫力を必要としないところには不必要に緊迫力が掛からない様に、各部分の要求に応じた緊迫力を付与して、着用感が低下しない様にすることができる。
【００７１】
また、強い緊迫力を必要とする領域が、細幅の連続パターン（緊迫力の強い編組織からなるジャカード柄）を複数本並列に近接させて構成されているので、この領域全体を均一な強い緊迫力を有する編組織で構成した場合と比較して、体型の凹凸に従って緊迫力に微妙な差を設けやすい。すなわち、身体の膨らみに沿わせたい箇所に十分な伸びを持たせつつ、且つ、必要な緊迫力を与えることが可能となる。これにより、身体の立体形状にぴったりとフィットする衣類を実現することができる。また、強い緊迫力を必要とする領域全体を均一な強い緊迫力を有する編組織で構成した場合のように、身体への圧迫が強すぎたり、この領域と緊迫力の弱い領域との境界が目立ったりするという問題を生じない。
【００７２】
図１２に、本発明にかかる衣類のさらに他の実施形態を示す。図１２に示す衣類は、ショートガードルであって、シングルラッシェルジャカード編地からなる編組織で構成され、地編の表側にあらわれる編み組織を変化させたジャカード柄によって、細幅で帯状にカーブした連続パターン１４ａ、１４ｂが形成されたものである。連続パターン１４ａ、１４ｂは、ガードルの後ろから脇にかけての見頃生地に、着用者のヒップ部の膨らみの下から脇に至る位置に、ヒップ部下部方向へ凸状にカーブした状態に、左右対称に形成されている。連続パターン１４ａ、１４ｂの編み組織は、ヒップの膨らみを包み込む部分１３ａや、連続パターン１４ａおよび１４ｂの間の部分１３ｂや、脇の裾口近傍部分１３ｃなどに比較して、緊迫力が相対的に強くなるように編まれている。なお、図１２において、１０はウエスト充当部である。
【００７３】
図１２に示すショートガードルでは、連続パターン１４ａ、１４ｂが近接するように、連続パターン１４ａ、１４ｂの間の部分１３ｂが細く形成されている。これにより、連続パターン１４ａ、１４ｂおよびこれらの間の部分１３ｂが、全体として一つの緊迫力の強い領域を形成している。連続パターン１４ａ、１４ｂは、いずれも、ヒップ部内側からヒップ部外側へ至るに従って幅が広くなるように形成しても良いし、等幅で形成しても良い。例えば、連続パターン１４ａ、１４ｂのそれぞれを約３ｃｍの等幅とし、それらを近接させて等間隔で配置することにより、連続パターン１４ａ、１４ｂとその間の部分１３ｂとにより形成される緊迫力の強い領域全体の幅が約６ｃｍになるようにする。
【００７４】
なお、連続パターンの本数は２本に限定されない。例えば、図１３に示すように、着用者のヒップ部の膨らみの下から脇に至る位置に、ヒップ部下部方向へ凸状にカーブした細幅の連続パターン１４ａ、１４ｂ、１４ｃが３本並列に近接して形成されたショートガードルも、本発明の一実施形態である。図１３に示すショートガードルの場合、連続パターン１４ａ、１４ｂ、１４ｃおよびこれらの間の部分１３ｂ、１３ｃにより、全体として一つの緊迫力の強い領域が形成されている。図１３における連続パターン１４ａ、１４ｂ、１４ｃのそれぞれは、図１２に示したものよりも細くなる。例えば、連続パターン１４ａ、１４ｂ、１４ｃのそれぞれを約２．５ｃｍの等幅とし、それらを近接させて等間隔で配置することにより、連続パターン１４ａ、１４ｂ、１４ｃとその間の部分１３ｂ、１３ｃとにより形成される緊迫力の強い領域全体の幅が約＊＊ｃｍになるようにする。
【００７５】
さらに、図１４に示した例は、着用者のヒップ部の膨らみの下から脇に至る位置に、ヒップ部下部方向へ凸状にカーブした細幅の連続パターン１４ａ、１４ｂ、１４ｃ、１４ｄ、１４ｅが５本並列に近接して形成されたショートガードルである。図１４に示すショートガードルの場合、連続パターン１４ａ、１４ｂ、１４ｃ、１４ｄ、１４ｅおよびこれらの間の部分１３ｂ、１３ｃ、１３ｄ、１３ｅにより、全体として一つの緊迫力の強い領域が形成されている。図１４における連続パターン１４ａ、１４ｂ、１４ｃ、１４ｄ、１４ｅのそれぞれは、図１２および図１３に示したものよりも細幅となる。例えば、連続パターン１４ａ〜１４ｅのそれぞれを約１ｃｍの等幅とし、それらを近接させて等間隔で配置することにより、連続パターン１４ａ、１４ｂとその間の部分１３ｂとにより形成される緊迫力の強い領域全体の幅が約６ｃｍになるようにする。
【００７６】
図１２〜図１４に示したショートガードルにおいて、連続パターンのそれぞれは等幅であっても良いし、幅が変化するように形成されていても良いが、例えば、ヒップ下部（外側）になるほど幅が広く、ヒップ内側になるほど幅が細くなっていると、ヒップの丸みをつぶすことなくヒップアップさせる効果があるので、特に好ましい。
【００７７】
この様にショートガードルを構成することにより、ヒップ形状を整えつつ、あまり緊迫力を必要としないところには不必要に強い緊迫力が掛からない様に、各部分の要求に応じた緊迫力を付与して、着用感が低下しない様にすることができる。
【００７８】
また、強い緊迫力を必要とする領域が、細幅の連続パターン（緊迫力の強い編組織からなるジャカード柄）を複数本並列に近接させて構成されているので、この領域全体を均一な強い緊迫力を有する編組織で構成した場合と比較して、体型の凹凸に従って緊迫力に微妙な差を設けやすい。すなわち、身体の膨らみに沿わせたい箇所に十分な伸びを持たせつつ、且つ、必要な緊迫力を与えることが可能となる。これにより、身体の立体形状にぴったりとフィットする衣類を実現することができる。また、強い緊迫力を必要とする領域全体を均一な強い緊迫力を有する編組織で構成した場合のように、身体への圧迫が強すぎたり、この領域と緊迫力の弱い領域との境界が目立ったりするという問題を生じない。
【００７９】
図１５に、本発明にかかる衣類のさらに他の実施形態を示す。図１５に示す衣類は、ロングガードルであって、シングルラッシェルジャカード編地からなる編組織で構成され、地編の表側にあらわれる編み組織を変化させたジャカード柄によって、細幅で帯状にカーブした連続パターン１９ａ、１９ｂが形成されたものである。連続パターン１９ａ、１９ｂは、ガードルの後ろから脇にかけての見頃生地に、着用者のヒップ部の膨らみの下から脇に至る位置に、ヒップ部下部方向へ凸状にカーブした状態に、左右対称に形成されている。連続パターン１９ａ、１９ｂの編み組織は、ヒップの膨らみを包み込む部分１８ｅや、連続パターン１９ａおよび１９ｂの間の部分１８ｂや、脚部１８ａなどに比較して、緊迫力が相対的に強くなるように編まれている。なお、図１５において、１５はウエスト充当部である。
【００８０】
図１５に示すロングガードルでは、連続パターン１９ａ、１９ｂが近接するように、連続パターン１９ａ、１９ｂの間の部分１８ｂが細く形成されている。これにより、連続パターン１９ａ、１９ｂおよびこれらの間の部分１８ｂが、全体として一つの緊迫力の強い領域を形成している。この領域全体の幅が、約５〜６ｃｍになるよう連続パターン１９ａ、１９ｂとその間の部分１８ｂが形成されている。連続パターン１９ａ、１９ｂの各々は、ヒップ部内側からヒップ部外側へ至るに従って幅が広くなるように形成しても良いし、等幅で形成しても良い。
【００８１】
なお、連続パターンの本数は２本に限定されない。例えば、図１６に示すように、着用者のヒップ部の膨らみの下から脇に至る位置に、ヒップ部下部方向へ凸状にカーブした細幅の連続パターン１９ａ、１９ｂ、１９ｃが３本並列に近接して形成されたロングガードルも、本発明の一実施形態である。図１６に示すロングガードルの場合、連続パターン１９ａ、１９ｂ、１９ｃおよびこれらの間の部分１８ｂ、１８ｃにより、全体として一つの緊迫力の強い領域が形成される。この領域全体の幅が図１５に示したガードルと同様に約５〜６ｃｍになるよう形成されているので、図１６における連続パターン１９ａ、１９ｂ、１９ｃのそれぞれは、図１５に示したものよりも細くなる。
【００８２】
さらに、図１７に示した例は、着用者のヒップ部の膨らみの下から脇に至る位置に、ヒップ部下部方向へ凸状にカーブした細幅の連続パターン１９ａ、１９ｂ、１９ｃ、１９ｄが４本並列に近接して形成されたロングガードルである。図１７に示すロングガードルの場合、連続パターン１９ａ、１９ｂ、１９ｃ、１９ｄおよびこれらの間の部分１８ｂ、１８ｃ、１８ｄにより、全体として一つの緊迫力の強い領域が形成されている。図１５または図１６に示したガードルと同様に、この領域全体の幅が約５〜６ｃｍになるよう形成されているので、図１７における連続パターン１９ａ、１９ｂ、１９ｃ、１９ｄのそれぞれは、図１５および図１６に示したものよりも細幅となる。
【００８３】
この様にロングガードルを構成することにより、ヒップ形状を整えつつ、あまり緊迫力を必要としない箇所には不必要に強い緊迫力が掛からない様に、各部分の要求に応じた緊迫力を付与して、着用感が低下しない様にすることができる。
【００８４】
また、強い緊迫力を必要とする領域が、細幅の連続パターン（緊迫力の強い編組織からなるジャカード柄）を複数本並列に近接させて構成されているので、この領域全体を均一な強い緊迫力を有する編組織で構成した場合と比較して、体型の凹凸に従って緊迫力に微妙な差を設けやすい。すなわち、身体の膨らみに沿わせたい箇所に十分な伸びを持たせつつ、且つ、必要な緊迫力を与えることが可能となる。これにより、身体の立体形状にぴったりとフィットする衣類を実現することができる。また、強い緊迫力を必要とする領域全体を均一な強い緊迫力を有する編組織で構成した場合のように、身体への圧迫が強すぎたり、この領域と緊迫力の弱い領域との境界が目立ったりするという問題を生じない。
【００８５】
上述した全ての態様に共通して、強い緊迫力を必要とする領域を、細幅の複数本の連続パターンで構成したことにより、次のような効果も得られた。すなわち、強い緊迫力を必要とする領域全体を、均一な強い緊迫力を有する編組織で形成しようとした場合、生地を編むときに隣接するウェール間で緊迫力の異なる部分が連続することにより、斜行が生じやすい。これに対して、本発明の場合は、比較的緊迫力の強い部分と比較的緊迫力が弱い部分とが編み方向において短い周期で交互にあらわれるので、斜行が生じにくい。
【００８６】
なお、図１２〜図１４に示したショートガードルでは左右の連続パターンがヒップ下部中央では連結させず、図１５〜図１７に示したロングガードルでは左右の連続パターンをヒップ下部中央で連結させた態様としたが、これらの態様は、ガードルがショートタイプかロングタイプかに関わらず、求めるヒップアップ機能によって適宜選択すれば良い。
【００８７】
さらに、以上に示した各種のガードルにおいて、連続パターンの本数やその幅および間隔などは、上記に具体的に提示した数値に限定されるものではなく、任意に設計することが可能である。
【００８８】
以上に示したガードルは、通常時用のガードルの態様を示したものであるが、目的に応じて種々の別の態様にモディファイすることは何ら差し支えない。
【００８９】
本発明で言うガードルには、例えば妊産婦用のガードル（ロングまたはショートタイプ）も含まれるが、妊産婦用のガードルに本発明を適用する場合の一態様を簡単に説明すると次の様である。すなわち例えば、複数本の連続パターンを並列させてなる比較的緊迫力の強い領域が、ガードル前側において腹部の中央より下の部分から左右の脇側に向かって斜め上に延在する様なほぼ帯状のパターンとし、前記緊迫力の比較的強い部分で囲まれた部分の腹部は、比較的緊迫力の弱い編み組織とする態様が挙げられる。例えばこの態様は妊産婦用のロングタイプまたはショートタイプのガードルやショーツにも適用可能である。
【００９０】
また、本発明は、ガードルやショーツのようなヒップ部を有する衣類に限定されず、身体に密着して所定の部位に緊迫力を与えることによって体型補正機能及び／または筋肉サポート機能を有する衣類を実現する目的において、任意の衣類に適用される。例えば、ブラジャー、水着、レオタード、ボディスーツ、タイトペチコート、スパッツ、タイツや、その他の衣類に適用される。
【００９１】
また、以上、説明した態様は、美観を向上させるための模様を付与することについては言及していないが、実質的に本発明の目的が発現できる限り、適宜、編組織を変更して、例えば女性用衣類によく用いられる小柄の花柄模様その他の適宜の小柄模様を入れることは任意である。こうすることにより、一層美観の向上した衣類に仕上げることが出来、好ましい。また、例えば比較的緊迫力の強い部分である“帯状でありかつカーブした連続したパターン”の部分を、複数の花柄模様などその他の適宜の複数の小柄模様が密集して各それぞれの小柄模様と小柄模様の間がつながっている小柄の連続模様によって形成してもよい。かかる小柄の連続模様は帯状パターンのみに限定されるものではなく、他の態様にも適用できることは勿論である。
【００９２】
【発明の効果】
本発明によれば、緊迫力を必要とする領域の面積が広く、且つ特に強い緊迫力が必要とされる場合であっても、その領域を、比較的緊迫力の強い編組織からなる細幅の連続パターンを、比較的緊迫力の弱い編組織を介在させて複数本並列に配置して構成することにより、複数本の連続パターン全体として強緊迫力部を作ることができる。これにより、着用感を損なわず、着用者の外観を美しく保って、かつ必要な体型補整機能及び／または筋肉サポート機能を有する衣類を提供することができる。
【図面の簡単な説明】
【図１】本発明の衣類の一例であるショートタイプのガードルを後側から見た斜視図。
【図２】本発明の衣類の一例であるショートタイプのガードルを後側から見た斜視図。
【図３】本発明の衣類の一例であるショートタイプのガードルを後側から見た斜視図。
【図４】本発明で用いるショートガードルの主として左後見頃に用いられる生地の裁断前の平面図。
【図５】地編組織に弾性糸からなる挿入糸が挿入されている状態を説明する為の組織図。
【図６】地編組織に弾性糸からなる挿入糸が挿入されている状態を説明する為の組織図。
【図７】地編組織に弾性糸からなる挿入糸が挿入されている状態を説明する為の組織図。
【図８】本発明の衣類の一例であるロングタイプのガードルを後側から見た斜視図。
【図９】本発明の衣類の一例であるロングタイプのガードルを後側から見た斜視図。
【図１０】本発明の衣類の一例であるロングタイプのガードルを後側から見た斜視図。
【図１１】本発明で用いるロングガードルの主として左後見頃に用いられる生地の裁断前の平面図。
【図１２】本発明の衣類の一例であるショートタイプのガードルを後側から見た斜視図。
【図１３】本発明の衣類の一例であるショートタイプのガードルを後側から見た斜視図。
【図１４】本発明の衣類の一例であるショートタイプのガードルを後側から見た斜視図。
【図１５】本発明の衣類の一例であるロングタイプのガードルを後側から見た斜視図。
【図１６】本発明の衣類の一例であるロングタイプのガードルを後側から見た斜視図。
【図１７】本発明の衣類の一例であるロングタイプのガードルを後側から見た斜視図。
【符号の説明】
５              サテン調ネット組織の表側に現れる非弾性糸
６              サテン調ネット組織の裏側に現れる非弾性糸
７              弾性糸からなる挿入糸
８              弾性糸からなる挿入糸
９              弾性糸からなる挿入糸
１０            ウエスト充当部
１１ａ〜１１ｅ  比較的緊迫力の弱い部分
１２ａ〜１２ｅ  比較的緊迫力の強い連続パターン
１３ａ〜１３ｅ  比較的緊迫力の弱い部分
１４ａ〜１４ｅ  比較的緊迫力の強い連続パターン
４０            生地
４１ａ〜４１ｇ  比較的緊迫力の強い連続パターン
１５            ウエスト充当部
１６ａ〜１１ｆ  比較的緊迫力の弱い部分
１７ａ〜１７ｅ  比較的緊迫力の強い連続パターン
１８ａ〜１８ｅ  比較的緊迫力の弱い部分
１９ａ〜１７ｄ  比較的緊迫力の強い連続パターン
５０            生地
５１ａ〜５１ｅ    比較的緊迫力の強い連続パターン
【図１】
2004156153.tif 000003
【図２】
2004156153.tif 000004
【図３】
2004156153.tif 000005
【図４】
2004156153.tif 000006
【図５】
2004156153.tif 000007
【図６】
2004156153.tif 000008
【図７】
2004156153.tif 000009
【図８】
2004156153.tif 000010
【図９】
2004156153.tif 000011
【図１０】
2004156153.tif 000012
【図１１】
2004156153.tif 000013
【図１２】
2004156153.tif 000014
【図１３】
2004156153.tif 000015
【図１４】
2004156153.tif 000016
【図１５】
2004156153.tif 000017
【図１６】
2004156153.tif 000018
【図１７】
2004156153.tif 000019